【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】塩ストレス耐性向上活性を有するタンパク質をコードするＤＮＡをスクリーニングする方法であって、ｃＤＮＡライブラリー由来の候補ｃＤＮＡを大腸菌に導入し、得られた形質転換大腸菌を３５０ｍＭ以上の塩濃度条件下で培養し、培養後に生育しているクローンを選択し、選択されたクローンから導入した候補ｃＤＮＡを単離することを特徴とするスクリーニング方法。
【請求項２】塩ストレス耐性向上活性を有するタンパク質をコードするＤＮＡをスクリーニングする方法であって、ｃＤＮＡライブラリー由来の候補ｃＤＮＡを大腸菌に導入し、得られた形質転換大腸菌を３５０ｍＭ以上の塩濃度条件下で培養し、培養後に生育しているクローンを選択し、選択されたクローンから導入した候補ｃＤＮＡを単離し、単離された候補ｃＤＮＡにランダムな変異を導入し、この変異ｃＤＮＡを宿主細胞に導入し、変異前のｃＤＮＡの選択条件より厳しい条件下で選抜する工程を１又は２回以上繰り返すことを特徴とするスクリーニング方法。
【請求項３】大腸菌が、ＳＯＬＲ株であることを特徴とする請求項１又は２記載のスクリーニング方法。
【請求項４】以下の(ａ)〜(ｃ)のいずれか記載のタンパク質をコードするＤＮＡ。
(ａ)配列番号２、４、６、８、１０、１２、１４、１６、１８、２０、２２、２４、２６、２８、３０、３２又は３４に示されるアミノ酸配列からなるタンパク質
(ｂ)配列番号２、４、６、８、１０、１２、１４、１６、１８、２０、２２、２４、２６、２８、３０、３２又は３４に示されるアミノ酸配列と相同性が７０％以上のアミノ酸配列からなり、かつ少なくとも塩ストレス耐性向上活性を有するタンパク質
(ｃ)配列番号２、４、６、８、１０、１２、１４、１６、１８、２０、２２、２４、２６、２８、３０、３２又は３４に示されるアミノ酸配列において、１若しくは数個のアミノ酸が欠失、置換若しくは付加されたアミノ酸配列からなり、かつ少なくとも塩ストレス耐性向上活性を有するタンパク質
【請求項５】配列番号１、３、５、７、９、１１、１３、１５、１７、１９、２１、２３、２５、２７、２９、３１又は３３に示される塩基配列若しくはその相補的配列又はこれらの配列の一部若しくは全部を含むＤＮＡ。
【請求項６】請求項５記載のＤＮＡとストリンジェントな条件下でハイブリダイズし、かつ少なくとも塩ストレス耐性向上活性を有するタンパク質をコードするＤＮＡ。
【請求項７】以下の(ａ)〜(ｂ)のいずれか記載のタンパク質をコードするＤＮＡ。
(ａ)配列番号３６，３８，４０，４２，４４，４６，４８，５０，５２，５４，５６，５８，６０，６２又は６４に示されるアミノ酸配列からなるタンパク質
(ｂ)配列番号３６，３８，４０，４２，４４，４６，４８，５０，５２，５４，５６，５８，６０，６２又は６４に示されるアミノ酸配列において、１若しくは数個のアミノ酸が欠失、置換若しくは付加されたアミノ酸配列からなり、かつ少なくとも塩ストレス耐性向上活性を有するタンパク質
【請求項８】配列番号３５，３７，３９，４１，４３，４５，４７，４９，５１，５３，５５，５７，５９，６１又は６３に示される塩基配列若しくはその相補的配列又はこれらの配列の一部若しくは全部を含むＤＮＡ。
【請求項９】請求項８記載の遺伝子を構成するＤＮＡとストリンジェントな条件下でハイブリダイズし、かつ少なくとも塩ストレス耐性向上活性を有するタンパク質をコードするＤＮＡ。
【請求項１０】配列番号２、４、６、８、１０、１２、１４、１６、１８、２０、２２、２４、２６、２８、３０、３２又は３４に示されるアミノ酸配列からなるタンパク質。
【請求項１１】配列番号２、４、６、８、１０、１２、１４、１６、１８、２０、２２、２４、２６、２８、３０、３２又は３４に示されるアミノ酸配列と相同性が７０％以上のアミノ酸配列からなり、かつ少なくとも塩ストレス耐性向上活性を有するタンパク質。
【請求項１２】配列番号２、４、６、８、１０、１２、１４、１６、１８、２０、２２、２４、２６、２８、３０、３２又は３４に示されるアミノ酸配列において、１若しくは数個のアミノ酸が欠失、置換若しくは付加されたアミノ酸配列からなり、かつ少なくとも塩ストレス耐性向上活性を有するタンパク質。
【請求項１３】配列番号３６，３８，４０，４２，４４，４６，４８，５０，５２，５４，５６，５８，６０，６２又は６４に示されるアミノ酸配列からなるタンパク質。
【請求項１４】配列番号３６，３８，４０，４２，４４，４６，４８，５０，５２，５４，５６，５８，６０，６２又は６４に示されるアミノ酸配列において、１若しくは数個のアミノ酸が欠失、置換若しくは付加されたアミノ酸配列からなり、かつ少なくとも塩ストレス耐性向上活性を有するタンパク質。
【請求項１５】請求項１０〜１４のいずれか記載の環境ストレス耐性向上活性を有するタンパク質をコードするＤＮＡを含むことを特徴とするベクター。
【請求項１６】請求項１５記載のベクターを宿主細胞に導入することにより得られることを特徴とする形質転換植物細胞。
【手続補正２】
【補正対象書類名】明細書
【補正対象項目名】００１２
【補正方法】変更
【補正の内容】
【００１２】
すなわち本発明は、（１）環境ストレス耐性向上活性を有するタンパク質をコードするＤＮＡをスクリーニングする方法であって、ｃＤＮＡライブラリー由来の候補ｃＤＮＡを宿主細胞に導入し、得られた形質転換細胞を宿主細胞が実質的に生育できない環境条件下で培養し、培養後に生育しているクローンを選択し、選択されたクローンから導入した候補ｃＤＮＡを単離することを特徴とするスクリーニング方法、（２）環境ストレス耐性向上活性を有するタンパク質をコードするＤＮＡをスクリーニングする方法であって、ｃＤＮＡライブラリー由来の候補ｃＤＮＡを宿主細胞に導入し、得られた形質転換細胞を宿主細胞が実質的に生育できない環境条件下で培養し、培養後に生育しているクローンを選択し、選択されたクローンから導入した候補ｃＤＮＡを単離し、単離された候補ｃＤＮＡにランダムな変異を導入し、この変異ｃＤＮＡを宿主細胞に導入し、変異前のｃＤＮＡの選択条件より厳しい条件下で選抜する工程を１又は２回以上繰り返すことを特徴とするスクリーニング方法、（３）環境ストレスが、化学物質ストレス、高温ストレス、低温ストレス、凍結ストレス、乾燥ストレス、オゾンストレス、紫外線ストレス、放射線ストレス、浸透圧ストレスから選ばれる１又は２以上のストレスであることを特徴とする上記（１）又は（２）記載のスクリーニング方法、（４）化学物質ストレスが、塩ストレスであることを特徴とする上記（３）記載のスクリーニング方法、（５）宿主細胞が、大腸菌であることを特徴とする上記（１）〜（４）のいずれか記載のスクリーニング方法、（６）大腸菌が、ＳＯＬＲ株であることを特徴とする上記（５）記載のスクリーニング方法、（７）宿主細胞が実質的に生育できない環境条件下が、３５０ｍＭ以上の塩濃度の条件下であることを特徴とする上記（１）〜（６）のいずれか記載のスクリーニング方法に関する。
【手続補正３】
【補正対象書類名】明細書
【補正対象項目名】００１３
【補正方法】変更
【補正の内容】
【００１３】
また本発明は、（８）上記（１）〜（７）のいずれか記載のスクリーニング方法により得られることを特徴とする環境ストレス耐性向上活性を有するタンパク質をコードするＤＮＡ、（９）環境ストレスが、化学物質ストレス、高温ストレス、低温ストレス、凍結ストレス、乾燥ストレス、オゾンストレス、紫外線ストレス、放射線ストレス、浸透圧ストレスから選ばれる１又は２以上のストレスであることを特徴とする上記（８）記載の環境ストレス耐性向上活性を有するタンパク質をコードするＤＮＡ、（１０）化学物質ストレスが、塩ストレスであることを特徴とする上記（９）記載の環境ストレス耐性向上活性を有するタンパク質をコードするＤＮＡ、（１１）環境ストレス耐性向上活性を有するタンパク質が、植物由来のタンパク質であることを特徴とする上記（８）〜（１０）のいずれか記載の環境ストレス耐性向上活性を有するタンパク質をコードするＤＮＡ、（１２）植物が、オヒルギ（Bruguiera sexangla）、ヒルギダマシ (Avicennia marina)、シチメンソウ(Sueada japonica)、オカヒジキ (Salsola komarovii)又はアイスプラント (Mesembryanthemum crystallinum)であることを特徴とする上記（１１）記載の環境ストレス耐性向上活性を有するタンパク質をコードするＤＮＡ、（１３）以下の(ａ)〜(ｃ)のいずれか記載のタンパク質をコードするＤＮＡ(ａ)配列番号２に示されるアミノ酸配列からなるタンパク質、(ｂ)配列番号２に示されるアミノ酸配列と相同性が７０％以上のアミノ酸配列からなり、かつ少なくとも塩ストレス耐性向上活性を有するタンパク質、(ｃ)配列番号２に示されるアミノ酸配列において、１若しくは数個のアミノ酸が欠失、置換若しくは付加されたアミノ酸配列からなり、かつ少なくとも塩ストレス耐性向上活性を有するタンパク質、（１４）配列番号１に示される塩基配列若しくはその相補的配列又はこれらの配列の一部若しくは全部を含むＤＮＡ、（１５）上記（１４）記載のＤＮＡとストリンジェントな条件下でハイブリダイズし、かつ少なくとも塩ストレス耐性向上活性を有するタンパク質をコードするＤＮＡ、（１６）以下の(ａ)〜(ｂ)のいずれか記載のタンパク質をコードするＤＮＡ(ａ)配列番号４に示されるアミノ酸配列からなるタンパク質、(ｂ)配列番号４に示されるアミノ酸配列において、１若しくは数個のアミノ酸が欠失、置換若しくは付加されたアミノ酸配列からなり、かつ少なくとも塩ストレス耐性向上活性を有するタンパク質、（１７）配列番号３に示される塩基配列若しくはその相補的配列又はこれらの配列の一部若しくは全部を含むＤＮＡ、（１８）上記（１７）記載のＤＮＡとストリンジェントな条件下でハイブリダイズし、かつ少なくとも塩ストレス耐性向上活性を有するタンパク質をコードするＤＮＡ、（１９）以下の(ａ)〜(ｂ)のいずれか記載のタンパク質をコードするＤＮＡ(ａ)配列番号６に示されるアミノ酸配列からなるタンパク質、(ｂ)配列番号６に示されるアミノ酸配列において、１若しくは数個のアミノ酸が欠失、置換若しくは付加されたアミノ酸配列からなり、かつ少なくとも塩ストレス耐性向上活性を有するタンパク質、（２０）配列番号５に示される塩基配列若しくはその相補的配列又はこれらの配列の一部若しくは全部を含むＤＮＡ、（２１）上記（２０）記載の遺伝子を構成するＤＮＡとストリンジェントな条件下でハイブリダイズし、かつ少なくとも塩ストレス耐性向上活性を有するタンパク質をコードするＤＮＡ、（２２）以下の(ａ)〜(ｂ)のいずれか記載のタンパク質をコードするＤＮＡ(ａ)配列番号８に示されるアミノ酸配列からなるタンパク質、(ｂ)配列番号８に示されるアミノ酸配列において、１若しくは数個のアミノ酸が欠失、置換若しくは付加されたアミノ酸配列からなり、かつ少なくとも塩ストレス耐性向上活性を有するタンパク質、（２３）配列番号７に示される塩基配列若しくはその相補的配列又はこれらの配列の一部若しくは全部を含むＤＮＡ、（２４）上記（２３）記載の遺伝子を構成するＤＮＡとストリンジェントな条件下でハイブリダイズし、かつ少なくとも塩ストレス耐性向上活性を有するタンパク質をコードするＤＮＡ、（２５）以下の(ａ)〜(ｂ)のいずれか記載のタンパク質をコードするＤＮＡ(ａ)配列番号１０に示されるアミノ酸配列からなるタンパク質、(ｂ)配列番号１０に示されるアミノ酸配列において、１若しくは数個のアミノ酸が欠失、置換若しくは付加されたアミノ酸配列からなり、かつ少なくとも塩ストレス耐性向上活性を有するタンパク質、（２６）配列番号９に示される塩基配列若しくはその相補的配列又はこれらの配列の一部若しくは全部を含むＤＮＡ、（２７）上記（２６）記載の遺伝子を構成するＤＮＡとストリンジェントな条件下でハイブリダイズし、かつ少なくとも塩ストレス耐性向上活性を有するタンパク質をコードするＤＮＡ、（２８）以下の(ａ)〜(ｂ)のいずれか記載のタンパク質をコードするＤＮＡ(ａ)配列番号１２に示されるアミノ酸配列からなるタンパク質、(ｂ)配列番号１２に示されるアミノ酸配列において、１若しくは数個のアミノ酸が欠失、置換若しくは付加されたアミノ酸配列からなり、かつ少なくとも塩ストレス耐性向上活性を有するタンパク質、（２９）配列番号１１に示される塩基配列若しくはその相補的配列又はこれらの配列の一部若しくは全部を含むＤＮＡ、（３０）上記（２９）記載の遺伝子を構成するＤＮＡとストリンジェントな条件下でハイブリダイズし、かつ少なくとも塩ストレス耐性向上活性を有するタンパク質をコードするＤＮＡ、（３１）以下の(ａ)〜(ｂ)のいずれか記載のタンパク質をコードするＤＮＡ(ａ)配列番号１４に示されるアミノ酸配列からなるタンパク質、(ｂ)配列番号１４に示されるアミノ酸配列において、１若しくは数個のアミノ酸が欠失、置換若しくは付加されたアミノ酸配列からなり、かつ少なくとも塩ストレス耐性向上活性を有するタンパク質、（３２）配列番号１３に示される塩基配列若しくはその相補的配列又はこれらの配列の一部若しくは全部を含むＤＮＡ、（３３）上記（３２）記載の遺伝子を構成するＤＮＡとストリンジェントな条件下でハイブリダイズし、かつ少なくとも塩ストレス耐性向上活性を有するタンパク質をコードするＤＮＡ、（３４）以下の(ａ)〜(ｂ)のいずれか記載のタンパク質をコードするＤＮＡ(ａ)配列番号１６に示されるアミノ酸配列からなるタンパク質、(ｂ)配列番号１６に示されるアミノ酸配列において、１若しくは数個のアミノ酸が欠失、置換若しくは付加されたアミノ酸配列からなり、かつ少なくとも塩ストレス耐性向上��性を有するタンパク質、（３５）配列番号１５に示される塩基配列若しくはその相補的配列又はこれらの配列の一部若しくは全部を含むＤＮＡ、（３６）上記（３５）記載の遺伝子を構成するＤＮＡとストリンジェントな条件下でハイブリダイズし、かつ少なくとも塩ストレス耐性向上活性を有するタンパク質をコードするＤＮＡ、（３７）以下の(ａ)〜(ｂ)のいずれか記載のタンパク質をコードするＤＮＡ(ａ)配列番号１８に示されるアミノ酸配列からなるタンパク質、(ｂ)配列番号１８に示されるアミノ酸配列において、１若しくは数個のアミノ酸が欠失、置換若しくは付加されたアミノ酸配列からなり、かつ少なくとも塩ストレス耐性向上活性を有するタンパク質、（３８）配列番号１７に示される塩基配列若しくはその相補的配列又はこれらの配列の一部若しくは全部を含むＤＮＡ、（３９）上記（３８）記載の遺伝子を構成するＤＮＡとストリンジェントな条件下でハイブリダイズし、かつ少なくとも塩ストレス耐性向上活性を有するタンパク質をコードするＤＮＡ、（４０）以下の(ａ)〜(ｂ)のいずれか記載のタンパク質をコードするＤＮＡ(ａ)配列番号２０に示されるアミノ酸配列からなるタンパク質、(ｂ)配列番号２０に示されるアミノ酸配列において、１若しくは数個のアミノ酸が欠失、置換若しくは付加されたアミノ酸配列からなり、かつ少なくとも塩ストレス耐性向上活性を有するタンパク質、（４１）配列番号１９に示される塩基配列若しくはその相補的配列又はこれらの配列の一部若しくは全部を含むＤＮＡ、（４２）上記（４１）記載の遺伝子を構成するＤＮＡとストリンジェントな条件下でハイブリダイズし、かつ少なくとも塩ストレス耐性向上活性を有するタンパク質をコードするＤＮＡ、（４３）以下の(ａ)〜(ｂ)のいずれか記載のタンパク質をコードするＤＮＡ(ａ)配列番号２２に示されるアミノ酸配列からなるタンパク質、(ｂ)配列番号２２に示されるアミノ酸配列において、１若しくは数個のアミノ酸が欠失、置換若しくは付加されたアミノ酸配列からなり、かつ少なくとも塩ストレス耐性向上活性を有するタンパク質、（４４）配列番号２１に示される塩基配列若しくはその相補的配列又はこれらの配列の一部若しくは全部を含むＤＮＡ、（４５）上記（４４）記載の遺伝子を構成するＤＮＡとストリンジェントな条件下でハイブリダイズし、かつ少なくとも塩ストレス耐性向上活性を有するタンパク質をコードするＤＮＡ、（４６）以下の(ａ)〜(ｂ)のいずれか記載のタンパク質をコードするＤＮＡ(ａ)配列番号２４に示されるアミノ酸配列からなるタンパク質、(ｂ)配列番号２４に示されるアミノ酸配列において、１若しくは数個のアミノ酸が欠失、置換若しくは付加されたアミノ酸配列からなり、かつ少なくとも塩ストレス耐性向上活性を有するタンパク質、（４７）配列番号２３に示される塩基配列若しくはその相補的配列又はこれらの配列の一部若しくは全部を含むＤＮＡ、（４８）上記（４７）記載の遺伝子を構成するＤＮＡとストリンジェントな条件下でハイブリダイズし、かつ少なくとも塩ストレス耐性向上活性を有するタンパク質をコードするＤＮＡ、（４９）以下の(ａ)〜(ｂ)のいずれか記載のタンパク質をコードするＤＮＡ(ａ)配列番号２６に示されるアミノ酸配列からなるタンパク質、(ｂ)配列番号２６に示されるアミノ酸配列において、１若しくは数個のアミノ酸が欠失、置換若しくは付加されたアミノ酸配列からなり、かつ少なくとも塩ストレス耐性向上活性を有するタンパク質、（５０）配列番号２５に示される塩基配列若しくはその相補的配列又はこれらの配列の一部若しくは全部を含むＤＮＡ、（５１）上記（５０）記載の遺伝子を構成するＤＮＡとストリンジェントな条件下でハイブリダイズし、かつ少なくとも塩ストレス耐性向上活性を有するタンパク質をコードするＤＮＡ、（５２）以下の(ａ)〜(ｂ)のいずれか記載のタンパク質をコードするＤＮＡ(ａ)配列番号２８に示されるアミノ酸配列からなるタンパク質、(ｂ)配列番号２８に示されるアミノ酸配列において、１若しくは数個のアミノ酸が欠失、置換若しくは付加されたアミノ酸配列からなり、かつ少なくとも塩ストレス耐性向上活性を有するタンパク質、（５３）配列番号２７に示される塩基配列若しくはその相補的配列又はこれらの配列の一部若しくは全部を含むＤＮＡ、（５４）上記（５３）記載の遺伝子を構成するＤＮＡとストリンジェントな条件下でハイブリダイズし、かつ少なくとも塩ストレス耐性向上活性を有するタンパク質をコードするＤＮＡ、（５５）以下の(ａ)〜(ｂ)のいずれか記載のタンパク質をコードするＤＮＡ(ａ)配列番号３０に示されるアミノ酸配列からなるタンパク質、(ｂ)配列番号３０に示されるアミノ酸配列において、１若しくは数個のアミノ酸が欠失、置換若しくは付加されたアミノ酸配列からなり、かつ少なくとも塩ストレス耐性向上活性を有するタンパク質、（５６）配列番号２９に示される塩基配列若しくはその相補的配列又はこれらの配列の一部若しくは全部を含むＤＮＡ、（５７）上記（５６）記載の遺伝子を構成するＤＮＡとストリンジェントな条件下でハイブリダイズし、かつ少なくとも塩ストレス耐性向上活性を有するタ
ンパク質をコードするＤＮＡ、（５８）以下の(ａ)〜(ｂ)のいずれか記載のタンパク質をコードするＤＮＡ(ａ)配列番号３２に示されるアミノ酸配列からなるタンパク質、(ｂ)配列番号３２に示されるアミノ酸配列において、１若しくは数個のアミノ酸が欠失、置換若しくは付加されたアミノ酸配列からなり、かつ少なくとも塩ストレス耐性向上活性を有するタンパク質、（５９）配列番号３１に示される塩基配列若しくはその相補的配列又はこれらの配列の一部若しくは全部を含むＤＮＡ、（６０）上記（５９）記載の遺伝子を構成するＤＮＡとストリンジェントな条件下でハイブリダイズし、かつ少なくとも塩ストレス耐性向上活性を有するタンパク質をコードするＤＮＡ、（６１）以下の(ａ)〜(ｂ)のいずれか記載のタンパク質をコードするＤＮＡ(ａ)配列番号３４に示されるアミノ酸配列からなるタンパク質、(ｂ)配列番号３４に示されるアミノ酸配列において、１若しくは数個のアミノ酸が欠失、置換若しくは付加されたアミノ酸配列からなり、かつ少なくとも塩ストレス耐性向上活性を有するタンパク質、（６２）配列番号３３に示される塩基配列若しくはその相補的配列又はこれらの配列の一部若しくは全部を含むＤＮＡ、（６３）上記（６２）記載の遺伝子を構成するＤＮＡとストリンジェントな条件下でハイブリダイズし、かつ少なくとも塩ストレス耐性向上活性を有するタンパク質をコードするＤＮＡ、（６４）以下の(ａ)〜(ｂ)のいずれか記載のタンパク質をコードするＤＮＡ(ａ)配列番号３６，３８，４０，４２，４４，４６，４８，５０，５２，５４，５６，５８，６０，６２又は６４に示されるアミノ酸配列からなるタンパク質、（ｂ)配列番号３６，３８，４０，４２，４４，４６，４８，５０，５２，５４，５６，５８，６０，６２又は６４に示されるアミノ酸配列において、１若しくは数個のアミノ酸が欠失、置換若しくは付加されたアミノ酸配列からなり、かつ少なくとも塩ストレス耐性向上活性を有するタンパク質、（６５）配列番号３５，３７，３９，４１，４３，４５，４７，４９，５１，５３，５５，５７，５９，６１又は６３に示される塩基配列若しくはその相補的配列又はこれらの配列の一部若しくは全部を含むＤＮＡ、（６６）上記（６５）記載の遺伝子を構成するＤＮＡとストリンジェントな条件下でハイブリダイズし、かつ少なくとも塩ストレス耐性向上活性を有するタンパク質をコードするＤＮＡに関する。
【手続補正４】
【補正対象書類名】明細書
【補正対象項目名】００１４
【補正方法】変更
【補正の内容】
【００１４】
また本発明は、（６７）上記（８）〜（６６）のいずれか記載のＤＮＡを用いることを特徴とする環境ストレス耐性の向上方法、（６８）環境ストレスが、化学物質ストレス、高温ストレス、低温ストレス、凍結ストレス、乾燥ストレス、オゾンストレス、紫外線ストレス、放射線ストレス、浸透圧ストレスから選ばれる１又は２以上のストレスであることを特徴とする上記（６７）記載の環境ストレス耐性の向上方法、（６９）化学物質ストレスが、塩ストレスであることを特徴とする上記（６８）記載の環境ストレス耐性の向上方法に関する。
【手続補正５】
【補正対象書類名】明細書
【補正対象項目名】００１５
【補正方法】変更
【補正の内容】
【００１５】
また本発明は、（７０）配列番号２に示されるアミノ酸配列からなるタンパク質、（７１）配列番号２に示されるアミノ酸配列と相同性が７０％以上のアミノ酸配列からなり、かつ少なくとも塩ストレス耐性向上活性を有するタンパク質、（７２）配列番号２に示されるアミノ酸配列において、１若しくは数個のアミノ酸が欠失、置換若しくは付加されたアミノ酸配列からなり、かつ少なくとも塩ストレス耐性向上活性を有するタンパク質、（７３）配列番号４に示されるアミノ酸配列からなるタンパク質、（７４）配列番号４に示されるアミノ酸配列において、１若しくは数個のアミノ酸が欠失、置換若しくは付加されたアミノ酸配列からなり、かつ少なくとも塩ストレス耐性向上活性を有するタンパク質、（７５）配列番号６に示されるアミノ酸配列からなるタンパク質、（７６）配列番号６に示されるアミノ酸配列において、１若しくは数個のアミノ酸が欠失、置換若しくは付加されたアミノ酸配列からなり、かつ少なくとも塩ストレス耐性向上活性を有するタンパク質、（７７）配列番号８に示されるアミノ酸配列からなるタンパク質、（７８）配列番号８に示されるアミノ酸配列において、１若しくは数個のアミノ酸が欠失、置換若しくは付加されたアミノ酸配列からなり、かつ少なくとも塩ストレス耐性向上活性を有するタンパク質、（７９）配列番号１０に示されるアミノ酸配列からなるタンパク質、（８０）配列番号１０に示されるアミノ酸配列において、１若しくは数個のアミノ酸が欠失、置換若しくは付加されたアミノ酸配列からなり、かつ少なくとも塩ストレス耐性向上活性を有するタンパク質、（８１）配列番号１２に示されるアミノ酸配列からなるタンパク質、（８２）配列番号１２に示されるアミノ酸配列において、１若しくは数個のアミノ酸が欠失、置換若しくは付加されたアミノ酸配列からなり、かつ少なくとも塩ストレス耐性向上活性を有するタンパク質、（８３）配列番号１４に示されるアミノ酸配列からなるタンパク質、（８４）配列番号１４に示されるアミノ酸配列において、１若しくは数個のアミノ酸が欠失、置換若しくは付加されたアミノ酸配列からなり、かつ少なくとも塩ストレス耐性向上活性を有するタンパク質、（８５）配列番号１６に示されるアミノ酸配列からなるタンパク質、（８６）配列番号１６に示されるアミノ酸配列において、１若しくは数個のアミノ酸が欠失、置換若しくは付加されたアミノ酸配列からなり、かつ少なくとも塩ストレス耐性向上活性を有するタンパク質、（８７）配列番号１８に示されるアミノ酸配列からなるタンパク質、（８８）配列番号１８に示されるアミノ酸配列において、１若しくは数個のアミノ酸が欠失、置換若しくは付加されたアミノ酸配列からなり、かつ少なくとも塩ストレス耐性向上活性を有するタンパク質、（８９）配列番号２０に示されるアミノ酸配列からなるタンパク質、（９０）配列番号２０に示されるアミノ酸配列において、１若しくは数個のアミノ酸が欠失、置換若しくは付加されたアミノ酸配列からなり、かつ少なくとも塩ストレス耐性向上活性を有するタンパク質、（９１）配列番号２２に示されるアミノ酸配列からなるタンパク質、（９２）配列番号２２に示されるアミノ酸配列において、１若しくは数個のアミノ酸が欠失、置換若しくは付加されたアミノ酸配列からなり、かつ少なくとも塩ストレス耐性向上活性を有するタンパク質、（９３）配列番号２４に示されるアミノ酸配列からなるタンパク質、（９４）配列番号２４に示されるアミノ酸配列において、１若しくは数個のアミノ酸が欠失、置換若しくは付加されたアミノ酸配列からなり、かつ少なくとも塩ストレス耐性向上活性を有するタンパク質、（９５）配列番号２６に示されるアミノ酸配列からなるタンパク質、（９６）配列番号２６に示されるアミノ酸配列において、１若しくは数個のアミノ酸が欠失、置換若しくは付加されたアミノ酸配列からなり、かつ少なくとも塩ストレス耐性向上活性を有するタンパク質、（９７）配列番号２８に示されるアミノ酸配列からなるタンパク質、（９８）配列番号２８に示されるアミノ酸配列において、１若しくは数個のアミノ酸が欠失、置換若しくは付加されたアミノ酸配列からなり、かつ少なくとも塩ストレス耐性向上活性を有するタンパク質、（９９）配列番号３０に示されるアミノ酸配列からなるタンパク質、（１００）配列番号３０に示されるアミノ酸配列において、１若しくは数個のアミノ酸が欠失、置換若しくは付加されたアミノ酸配列からなり、かつ少なくとも塩ストレス耐性向上活性を有するタンパク質、（１０１）配列番号３２に示されるアミノ酸配列からなるタンパク質、（１０２）配列番号３２に示されるアミノ酸配列において、１若しくは数個のアミノ酸が欠失、置換若しくは付加されたアミノ酸配列からなり、かつ少なくとも塩ストレス耐性向上活性を有するタンパク質、（１０３）配列番号３４に示されるアミノ酸配列からなるタンパク質、（１０４）配列番号３４に示されるアミノ酸配列において、１若しくは数個のアミノ酸が欠失、置換若しくは付加されたアミノ酸配列からなり、かつ少なくとも塩ストレス耐性向上活性を有するタンパク質、（１０５）配列番号３６，３８，４０，４２，４４，４６，４８，５０，５２，５４，５６，５８，６０，６２又は６４に示されるアミノ酸配列からなるタンパク質、（１０６）配列番号３６，３８，４０，４２，４４，４６，４８，５０，５２，５４，５６，５８，６０，６２又は６４に示されるアミノ酸配列において、１若しくは数個のアミノ酸が欠失、置換若しくは付加されたアミノ酸配列からなり、かつ少なくとも塩ストレス耐性向上活性を有するタンパク質に関する。
【手続補正６】
【補正対象書類名】明細書
【補正対象項目名】００１６
【補正方法】変更
【補正の内容】
【００１６】
また本発明は、（１０７）上記（７０）〜（７２）のいずれか記載のタンパク質に特異的に結合する抗体、（１０８）上記（７３）〜（１０４）のいずれか記載のタンパク質に特異的に結合する抗体、（１０９）上記（１０５）又は（１０６）記載のタンパク質に特異的に結合する抗体、（１１０）抗体がモノクローナル抗体であることを特徴とする上記（１０７）〜（１０９）のいずれか記載の抗体に関する。
【手続補正７】
【補正対象書類名】明細書
【補正対象項目名】００１７
【補正方法】変更
【補正の内容】
【００１７】
また本発明は、（１１１）上記（８）〜（１２）のいずれか記載の環境ストレス耐性向上活性を有するタンパク質をコードするＤＮＡを含むことを特徴とするベクター、（１１２）上記（１３）〜（１５）のいずれか記載のＤＮＡを含むことを特徴とするベクター、（１１３）上記（１６）〜（６３）のいずれか記載のＤＮＡを含むことを特徴とするベクター、（１１４）上記（６４）〜（６６）のいずれか記載のＤＮＡを含むことを特徴とするベクターに関する。
【手続補正８】
【補正対象書類名】明細書
【補正対象項目名】００１８
【補正方法】変更
【補正の内容】
【００１８】
また本発明は、（１１５）上記（１１１）〜（１１４）のいずれか記載のベクターを宿主細胞に導入することにより得られることを特徴とする形質転換細胞、（１１６）宿主細胞が、植物細胞であることを特徴とする上記（１１５）記載の形質転換細胞、（１１７）上記（１１５）又は（１１６）記載の形質転換細胞を培養し、該形質転換細胞又はその培養液の上清から組換えタンパク質を回収することを特徴とする環境ストレス耐性向上活性を有するタンパク質の製造方法に関する。
【手続補正９】
【補正対象書類名】明細書
【補正対象項目名】００１９
【補正方法】変更
【補正の内容】
【００１９】
また、本発明は、（１１８）上記（８）〜（１２）のいずれか記載の環境ストレス耐性向上活性を有するタンパク質をコードするＤＮＡを植物細胞に導入し、該植物細胞の分裂・増殖と再分化を行わせることにより得られることを特徴とするトランスジェニック植物、（１１９）上記（１３）〜（１５）のいずれか記載のＤＮＡを植物細胞に導入し、該植物細胞の分裂・増殖と再分化を行わせることにより得られることを特徴とするトランスジェニック植物、（１２０）上記（１６）〜（６３）のいずれか記載のＤＮＡを植物細胞に導入し、該植物細胞の分裂・増殖と再分化を行わせることにより得られることを特徴とするトランスジェニック植物、（１２１）上記（６４）〜（６６）のいずれか記載のＤＮＡを植物細胞に導入し、該植物細胞の分裂・増殖と再分化を行わせることにより得られることを特徴とするトランスジェニック植物、（１２２）上記（１１１）〜（１１４）のいずれか記載のベクターを植物細胞に導入し、該植物細胞の分裂・増殖と再分化を行わせることにより得られることを特徴とするトランスジェニック植物、（１２３）環境ストレスが、化学物質ストレス、高温ストレス、低温ストレス、凍結ストレス、乾燥ストレス、オゾンストレス、紫外線ストレス、放射線ストレス、浸透圧ストレスから選ばれる１又は２以上のストレスであることを特徴とする上記（１１８）〜（１２２）のいずれか記載のトランスジェニック植物、（１２４）化学物質ストレスが、塩ストレスであることを特徴とする上記（１２３）記載のトランスジェニック植物、（１２５）上記（１１８）〜（１２２）のいずれか記載のトランスジェニック植物に由来することを特徴とする繁殖材料に関する。